(57)【特許請求の範囲】
【請求項１】
上側折板が、底板部と、この底板部の両側端から外側斜め上方に立ち上がる左右の傾斜側板部と、これらの傾斜側板部の上端に形成された耳部とからなるものであり、下側折板が、上側折板の上記底板部と重なる底板部と、この底板部の両側端から外側斜め上方に立ち上がって上側折板の上記傾斜側板部と重なる左右の傾斜側板部と、これらの傾斜側板部の上端に形成されて上側折板の上記耳部を受ける耳受部とからなるものであって、上側折板の底板部と下側折板の底板部との間に機能シートが挟み込まれ、上側折板と下側折板の周縁部が封止されると共に、上側折板と下側折板が透光性の合成樹脂で形成された機能シート入り折板屋根材と金属製の折板屋根材が、屋根の母屋材に固定されたタイトフレームに取付けられている屋根構造であって、
タイトフレームの山部の中央部分に、機能シート入り折板屋根材用の金属製の長尺の通し吊子と、金属製の折板屋根材用の金属製の短尺の吊子と、これら長尺の通し吊子と短尺の吊子を押さえる押え金具とが固定され、
長尺の通し吊子の係合縁が機能シート入り折板屋根材の上側折板の耳部の端縁に下方から係合し、短尺の吊子の係合縁が折板屋根材の耳部の折返し端縁に下方から係合して、機能シート入り折板屋根材と金属製の折板屋根材が吊持され、
押さえ金具、長尺の通し吊子と短尺の吊子、金属製の折板屋根材の耳部、機能シート入り折板屋根材の上側折板の耳部及び下側折板の耳受部を覆うように、上方から長尺の金属製のキャップが被せられ、このキャップの左右の凹曲部が、長尺の通し吊子の係合縁と短尺の吊子の係合縁の下面に掛止されていると共に、この長尺の金属製のキャップの上に短尺の掴み金具が載置され、この掴み金具の左右両端の垂下部とキャップの左右の凹曲部との間に配置された板金と、掴み金具の一段低い左右両側縁とが緊締されて、掴み金具が取付けられていることを特徴とする屋根構造。
【請求項２】
機能シート入り折板屋根材の上側に吹上げ防止材が配置されて固定されていることを特徴とする請求項１に記載の屋根構造。
【請求項３】
機能シートが太陽電池シートであることを特徴とする請求項１又は請求項２に記載の屋根構造。
【請求項４】
機能シートが調光シート、蓄光シート、発光シートのいずれかであることを特徴とする請求項１又は請求項２に記載の屋根構造。
【発明の詳細な説明】
【技術分野】
【０００１】
本発明は、太陽電池シートその他の機能シートを上側折板と下側折板との間に挟み込んだ機能シート入り折板屋根材を用いた屋根構造に関する。
【背景技術】
【０００２】
従来より、折板屋根材の上に複数の太陽電池モジュールを載置し、太陽電池モジュール同士の電気的な接続部を収容する太陽電池モジュール固定部材を折板屋根材に取付けて、この太陽電池モジュール固定部材と折板屋根材により太陽電池モジュールの端部を挟持固定した屋根材一体型太陽電池モジュールが提案されている（特許文献１）。
【０００３】
一方、平坦な山部と谷部が傾斜部を挟んで交番配置に並設された２枚の透光性の折板を、所定間隔をおいて上下に配置し、各山部間に略全長に亘って角棒状の透光性の山部間隔保持部材を配置して結合一体化すると共に、上側折板の両側部に山部から連続する垂下縁部を延設した複層採光屋根部材も提案されている（特許文献２）。
【特許文献１】特開平６−８５３０５号公報
【特許文献２】特開２００１−４９８０７号公報
【発明の開示】
【発明が解決しようとする課題】
【０００４】
しかしながら、特許文献１の屋根材一体型太陽電池モジュールでは、折板屋根材に載置した太陽電池モジュールが太陽光に直射され、風雨に直接さらされるため、太陽電池モジュールが比較的短期間で劣化するという問題がある。
【０００５】
かかる問題の解決手段として、例えば、太陽電池モジュールの表面を透明な耐候性樹脂フィルムで真空ラミネートすることが考えられるが、その場合は、真空ラミネートの可能な短尺の太陽電池モジュールを製作し、真空ラミネートを行った短尺の太陽電池モジュールを折板屋根材の長さ方向に何枚も接続しながら載置して、各接続部を太陽電池モジュール固定部材で挟持固定しなければならないため、太陽電池モジュールの取付作業が面倒で施工性が良くないという新たな問題が生じる。
【０００６】
また、特許文献１の屋根材一体型太陽電池モジュールは、屋根に取付けた折板屋根材の上で太陽電池モジュールの取付作業を行うことになるので、危険が伴うという問題もあった。
【０００７】
一方、特許文献２の複層採光屋根部材は、上下二枚の透光性の折板の間に断熱空間を形成して結露水の落下を防止するものであり、太陽電池モジュールその他の機能部材との複合化を図るものではない。
【０００８】
本発明は上記事情の下になされたもので、その解決しようとする課題は、太陽電池シートその他の機能シートの劣化を抑制して長期間に亘り種々の機能を発揮でき、製造が簡単で施工性等も良好な機能シート入り折板屋根材を用いた屋根構造を提供することにある。
【課題を解決するための手段】
【０００９】
上記課題を解決するため、本発明に係る屋根構造は、上側折板が、底板部と、この底板部の両側端から外側斜め上方に立ち上がる左右の傾斜側板部と、これらの傾斜側板部の上端に形成された耳部とからなるものであり、下側折板が、上側折板の上記底板部と重なる底板部と、この底板部の両側端から外側斜め上方に立ち上がって上側折板の上記傾斜側板部と重なる左右の傾斜側板部と、これらの傾斜側板部の上端に形成されて上側折板の上記耳部を受ける耳受部とからなるものであって、上側折板の底板部と下側折板の底板部との間に機能シートが挟み込まれ、上側折板と下側折板の周縁部が封止されると共に、上側折板と下側折板が透光性の合成樹脂で形成された機能シート入り折板屋根材と金属製の折板屋根材が、屋根の母屋材に固定されたタイトフレームに取付けられている屋根構造であって、タイトフレームの山部の中央部分に、機能シート入り折板屋根材用の金属製の長尺の通し吊子と、金属製の折板屋根材用の金属製の短尺の吊子と、これら長尺の通し吊子と短尺の吊子を押さえる押え金具とが固定され、長尺の通し吊子の係合縁が機能シート入り折板屋根材の上側折板の耳部の端縁に下方から係合し、短尺の吊子の係合縁が折板屋根材の耳部の折返し端縁に下方から係合して、機能シート入り折板屋根材と金属製の折板屋根材が吊持され、押さえ金具、長尺の通し吊子と短尺の吊子、金属製の折板屋根材の耳部、機能シート入り折板屋根材の上側折板の耳部及び下側折板の耳受部を覆うように、上方から長尺の金属製のキャップが被せられ、このキャップの左右の凹曲部が、長尺の通し吊子の係合縁と短尺の吊子の係合縁の下面に掛止されていると共に、この長尺の金属製のキャップの上に短尺の掴み金具が載置され、この掴み金具の左右両端の垂下部とキャップの左右の凹曲部との間に配置された板金と、掴み金具の一段低い左右両側縁とが緊締されて、掴み金具が取付けられていることを特徴とするものである。
【００１０】
本発明の屋根構造においては、機能シート入り折板屋根材の上側に吹上げ防止材が配置されて固定されていることが好ましい。
【００１１】
機能シートの代表例は太陽電池シートであるが、調光シート、蓄光シート、発光シートなども好ましく使用される。太陽電池モジュールシートを上側折板と下側折板との間に挟み込む場合は、少なくとも上側折板が透光性材料で形成されていればよいが、調光シート、蓄光シート、発光シートのいずれかを挟み込む場合は、上記のように上側折板と下側折板の双方を透光性の合成樹脂で形成し、下側折板を通して屋内から各シートの機能を視認できるようにすることが好ましい。
【発明の効果】
【００１３】
本発明の屋根構造のように、上側折板の底板部と下側折板の底板部との間に機能シートが挟み込まれて、これらの折板の周縁部が封止されていると、機能シートを位置ズレが生じないように安定良く挟持できる利点があると共に、機能シートがこれらの折板によって被覆保護されるので、風雨に直接さらされて劣化したり、飛来物によって破損するようなことがなくなり、太陽光による機能シートの劣化もかなり抑制される。そのため、長期間に亘って機能シートにより種々の機能を発揮することができる。そして、双方の折板が透光性の合成樹脂で形成されているので、機能シートが挟まれていない双方の折板の傾斜側板部を通して採光することができ、機能シートが透光性のものであれば、傾斜側板部と底板部を通して採光することができる。また、この機能シート入り折板屋根材は、工場内で上側折板と下側折板の間に機能シートを挟み込み、双方の折板の周縁部を後述のシールテープや接着剤で封止することによって、長尺のものでも簡単かつ効率良く製造することができ、従来の折板屋根材と同様に取扱いが容易で、屋根葺きの現場で機能シートを折板屋根材に取付ける面倒で危険な作業が不要であるため、屋根葺き施工性および安全性が良好である。そして、機能シート入り折板屋根材の上側に吹上げ防止材が配置されて固定された屋根構造は、強風時に機能シート入り折板屋根材が吹上げられて浮上、剥離、飛散するのを、吹上げ防止材によって防止できる利点がある。
【００１４】
機能シートとして太陽電池シートが上側折板と下側折板との間に挟み込まれた本発明の屋根構造は、上側折板を透過した太陽光のエネルギーを太陽電池シートにより電気エネルギーに変換して発電機能を発揮することができる。また、透光性合成樹脂製の双方の折板の間に、機能シートとして調光シートや蓄光シートや発光シートが挟み込まれたものは、該調光シートにより発揮される調光機能や、該蓄光シートから夜間に放出される蛍光や、該発光シートから発せられる光を、双方の透光性合成樹脂製の折板を通して屋内及び屋外から視認することができる。
【発明を実施するための最良の形態】
【００１７】
以下、図面を参照して本発明の具体的な実施形態を詳述する。
【００１８】
図１は本発明の一実施形態に係る屋根構造に用いられる機能シート入り折板屋根材の横断面図、図２は同機能シート入り折板屋根材の分解部分斜視図である。
【００１９】
この機能シート入り折板屋根材Ｒは、上側折板１と、下側折板２と、機能シート３とで構成されている。上側折板１と下側折板２は、採光用の折板屋根材Ｒとするために、透光性の合成樹脂で形成することが好ましい。もっとも、機能シート３として、太陽電池シートのように屋内から視認する必要のない機能シートを用いる場合は、少なくとも上側折板１が透光性の合成樹脂で形成されていればよい。但し、その場合でも、双方の折板１，２を透光性の合成樹脂で形成し、太陽電池シートを挟み込んでいない部分から採光できるようにすることが好ましい。
【００２０】
上側折板１および下側折板２の材料樹脂としては、押出成形し易い透光性（透明ないし半透明）の熱可塑性樹脂が全て使用可能であるが、その中でも全光線透過率が高くヘーズ値が低い透明性に優れたポリカーボネートやポリエステル樹脂が好ましく使用される。これらの材料樹脂は、紫外線吸収剤、光安定剤その他の添加剤を加えて耐候性を向上させるようにしてもよく、また、光拡散剤を加えて透過光を拡散させるようにしてもよい。特に、上側折板１の材料樹脂には、紫外線吸収剤や光安定剤を加えて耐候性を向上させることが好ましい。尚、下側折板２を不透明とする場合は、顔料を加えて不透明とした熱可塑性樹脂や金属板で下側折板２を形成すればよい。
【００２１】
この機能シート入り折板屋根剤Ｒの上側折板１は、図１，図２に示すように、水平な底板部１ａと、この底板部１ａの両側端から外側斜め上方に立ち上がる左右の傾斜側板部１ｂ，１ｂと、これらの傾斜側板部１ｂ，１ｂの上端に形成された左右の耳部１ｃ，１ｃとからなるものであって、該耳部１ｃ，１ｃの端縁１ｄ，１ｄが内側斜め下方に突出し、後述する通し吊子８の係合縁８ａと係合するようになっている。
【００２２】
また、下側折板２は、上側折板１の上記底板部１ａと僅かな隙間（機能シートの厚みに略等しい隙間）をあけて重なる水平な底板部２ａと、この底板部２ａの両側端から外側斜め上方に立ち上がって上側折板１の上記傾斜側板部１ｂ，１ｂと僅かな隙間をあけて重なる左右の傾斜側板部２ｂ，２ｂと、これらの傾斜側板部２ｂ，２ｂの上端に形成されて上側折板１の上記耳部１ｃ，１ｃを受ける耳受部２ｃ，２ｃとからなるものであって、図２に示すように、底板部２ａの長さ方向の端部近傍には電極取出孔２ｄが形成されている。
【００２３】
これらの折板１，２は、例えば、次の方法で効率的に量産することができる。まず、前記の材料樹脂を連続押出成形して平板を予め製作し、保管しておく。そして、折板１，２が必要になったときに、平板を所定の大きさに切断し、曲げ部分を加熱しながら、又は、加熱しないで、図１，図２に示す折板形状に曲げ加工して製造する。尚、上記の平板を製作する際に二層押出成形機を使用し、材料樹脂と、紫外線吸収剤等を多量に含んだ材料樹脂とを重ねて同時に押出成形すれば、上面に紫外線吸収剤等を多量に含む耐候性層を備えた折板１，２を容易に製造することができる。
【００２４】
上側折板１の底板部１ａと下側折板２の底板部２ａとの間には、下側折板２の底板部２ａより僅かに小さい縦横寸法を有する矩形の機能シート３が挟み込まれており、上側折板１と下側折板２の周縁部が封止されている。即ち、図１に示すように、上側折板１の耳部１ｃ，１ｃと下側折板２の耳受部２ｃ，２ｃがシールテープ４，４で水密的に封止されると共に、上側折板１と下側折板２の長さ方向両端縁も同様のシールテープで水密的に封止されている。この水密的な封止処理は、シールテープに代えて接着剤で行うようにしてもよい。
【００２５】
上記のように、上側折板１の底板部１ａと下側折板２の底板部２ａとの間に機能シート３が挟み込まれていると、機能シート３を位置ズレが生じないように安定良く挟持できる。そして、機能シート３が挟まれていない双方の折板１，２の傾斜側板部１ｂ，２ｂを通して採光することができ、機能シートが透光性のものであれば、傾斜側板部１ｂ，２ｂと底板部１ａ，２ａを通して採光することができる。また、上側折板１と下側折板２の周縁部が水密的に封止されていると、雨水の侵入が防止され、雨水によって機能シート３が変質、劣化したり、電気的なトラブルを生じたりする心配がなくなる。尚、必要とあらば、機能シート３を両面粘着テープ等で部分的に下側折板２の底板部２ａに貼り付け、機能シート３を完全に固定してもよい。
【００２６】
機能シート３としては、厚さが２ｍｍ以下の太陽電池シート、調光シート、蓄光シート、発光シート等が好ましく使用されるが、上側折板１と下側折板２の間に挟み込むことができる薄さを有する機能シートであれば、上記以外のものも使用可能である。
【００２７】
太陽電池シートとしては、ベースフィルムの表面にシリコン薄膜を形成したシリコン系の太陽電池シートが好ましく使用されるが、非シリコン系の太陽電池シートも勿論使用される。シリコン系太陽電池シートの具体例としては、単結晶シリコン型、多結晶シリコン型、微結晶シリコン型、アモルファスシリコン型のものが挙げられる。一方、非シリコン系太陽電池シートの具体例としては、ガリウムヒ素型、カルコパイライト系、Ｃｕ２ＺｎＳｎＳ４系、ＣｄＴｅ−ＣｄＳ系、ＩｎＰ系、ＳｉＧｅ系、Ｇｅ系、ＺｎＯ／ＣｕＡｌＯ２系のものや、有機系（色素増感型、有機薄膜型）のものが挙げられる。
【００２８】
また、調光シートとしては、ベースフィルムの表面に光によって変色するフォトクロミック層を形成したもの、熱によって変色するサーモクロミック層を形成したもの、電圧印加によって変色するエレクトロクロミック層を形成したものが好ましく使用される。フォトクロミック型の調光シートの具体例としては、レチナール系、テトラピロール系、ジアリールエテン系、アゾベンゼン系、スピロピラン系、スピロベンゾピラン系、スピロオキサジン系、フルギド系、シクロファン系、カルコン系、銀担持酸化チタンなどのフォトクロミック層を有するものが挙げられる。そして、サーモクロミック型の調光シートの具体例としては、スピロピラン系、酸化バナジウム系、ハロゲノ錯体系、エチレンジアミン誘導体系などのサーモクロミック層を有するものが挙げられ、エレクトロクロミック型の調光シートの具体例としては、酸化タングステン系、ビオロゲン系、希土類ジフタロシアニン系などのエレクトロクロミック層を有するものが挙げられる。
【００２９】
また、蓄光シートとしては、ベースフィルムの表面に、酸化亜鉛−銅系、アルミン酸ストロンチウム−ユウロピウム系、アルミン酸ストロンチウム−ジスプロシウム系などの蓄光層を形成したものが好ましく使用される。
【００３０】
また、発光シートとしては、ベースフィルムの表面に、光照射や電圧印加等によって発光するポリフェニレンビニレン系、アリーレン系、フルオレン系、ジフェニルキノキサリン−イリジウム系、亜鉛−硫黄系などのエレクトロルミネッセンス層を形成したものが好ましく使用される。
【００３１】
上記の機能シートのうち、電極を有する太陽電池シートやエレクトロクロミック型の調光シートや発光シートは、その電極が下側折板２の前記電極取出孔２ｄから取り出される。
【００３２】
機能シート入り折板屋根材Ｒの寸法や形状は、後述する金属製の折板屋根材７と実質的に同様であり、一例を示すと、幅寸法が４５０ｍｍ程度、底板部の幅寸法が２１０ｍｍ程度、高さ寸法が２００ｍｍ程度、長さ寸法が２〜４ｍ程度である。但し、厚さ寸法は金属製の折板屋根材７とは異なり、全体の厚さ寸法は３〜５ｍｍ程度、上側折板１及び下側折板２の厚さ寸法は１〜２ｍｍ程度である。
【００３３】
この機能シート入り折板屋根材Ｒは、次の要領で効率良く製造することができる。即ち、前述した材料樹脂や添加剤入りの材料樹脂を連続押出成形し、所定の長さに切断して上側折板１と下側折板２を製作する。そして、下側折板２の底板部２ａに、予め準備した矩形の機能シート３を載置し、下側折板２の長さ方向両端縁及び耳受部２ｃ，２ｃにシールテープ４を貼着するか、又は、接着剤を塗布して、上側折板１を下側折板２に重ね合わせ、双方の折板１，２の周縁部をシールテープ４又は接着剤で水密的に封止すると、機能シート入り折板屋根材Ｒを容易且つ効率良く製造できる。
【００３４】
以上のような機能シート入り折板屋根材Ｒは、機能シート３が上側折板１と下側折板２によって被覆保護されているので、機能シート３が風雨に直接さらされて劣化したり、飛来物によって破損するようなことがなくなり、太陽光による機能シート３の劣化もかなり抑制される。そのため、この機能シート入り折板屋根材Ｒで屋根の採光部分を葺くと、採光機能と共に、長期間に亘って機能シート３により種々の機能を発揮することができる。即ち、機能シート３が前記の太陽電池シートである場合は、上側折板１を透過した太陽光のエネルギーを電気エネルギーに変換して発電機能を発揮することができ、機能シート３が前記の調光シートである場合は、太陽光の有無によって生じる変色や、気温変化によって生じる変色や、電圧印加によって生じる変色を、屋内及び屋外から視認することができ、機能シート３が前記の蓄光シートである場合は、夜間に放出される蛍光を屋内及び屋外から視認することができ、機能シート３が前記の発光シートである場合は、電圧印加により発せられる光を屋内及び屋外から視認することができる。また、この機能シート入り折板屋根材Ｒは、工場内で前記のように簡単かつ効率良く製造することができ、従来の折板屋根材と同様に取扱いが容易であって、後述するように屋根葺き施工性も良好である。
【００３５】
次に、図３〜図６を参照して本発明の屋根構造を説明する。
【００３６】
図３は本発明の一実施形態に係る屋根構造の説明図、図４は図３の円で囲んだ部分の拡大図、図５は同屋根構造に用いる金属製の折板屋根材の部分斜視図、図６は同屋根構造に用いる吹上げ防止材の斜視図である。
【００３７】
この屋根構造では、図３に示すように、Ｉ鋼からなる屋根の母屋材５の上に、山部６ａと谷部６ｂを交互に備えた角波形の金属製のタイトフレーム６が固定されている。そして、この屋根の採光部分には、前記の機能シート入り折板屋根材Ｒが、タイトフレーム６の谷部６ｂとその両側の傾斜部６ｃ，６ｃを覆うように配置され、該折板屋根材Ｒの下側折板２の左右の耳受部２ｃ，２ｃが、該折板屋根材Ｒの両側に位置するタイトフレーム６の山部６ａ，６ａの側縁に係止されている。
【００３８】
また、この屋根の採光部分を除いた部分には、鋼板などの金属製の折板屋根材７が、タイトフレーム６の谷部６ｂと両側の傾斜部６ｃ，６ｃを覆うように配置され、折板屋根材７の左右の耳部７ｃ，７ｃが、該折板屋根材７の両側に位置するタイトフレーム６の山部６ａ，６ａの側縁に係止されている。この金属製の折板屋根材７は、図５に示すように、底板部７ａと、この底板部７ａの両側端から外側斜め上方に立ち上がる左右の傾斜側板部７ｂ，７ｂと、これらの傾斜側板部７ｂ，７ｂの上端に形成された左右の耳部７ｃ，７ｃとからなるものであって、機能シート入り折板屋根材Ｒと実質的に同様の形状をしており、その厚み寸法が０．８ｍｍ程度と薄いことを除いては、寸法も機能シート入り折板屋根材Ｒと実質的に同様のものである。
【００３９】
図４に示すように、タイトフレーム６の山部６ａの中央部分には、機能シート入り折板屋根材Ｒ用の金属製の長尺の通し吊子８と、折板屋根材７用の金属製の短尺の吊子９と、これらの吊子８，９を押さえる押え金具１０とが、ボルト１１ａとナット１２ａで固定されている。そして、通し吊子８の係合縁８ａが機能シート入り折板屋根材Ｒの上側折板１の耳部１ｃの端縁１ｄに下方から係合し、吊子９の係合縁９ａが折板屋根材７の耳部７ｃの折返し端縁７ｄに下方から係合して、機能シート入り折板屋根材Ｒと折板屋根材７を吊持するように構成されている。
【００４０】
更に、上記の押さえ金具１０、吊子８，９、金属製の折板屋根材７の耳部７ｃ、機能シート入り折板屋根材Ｒの耳部（上側折板１の耳部１ｃ及び下側折板２の耳受部２ｃ）を覆うように、上方から長尺の金属製のキャップ１３が被せられ、このキャップ１３の左右の凹曲部１３ａ，１３ａが、通し吊子８の係合縁８ａと吊子９の係合縁９ａの下面に掛止されている。そして、このキャップ１３の上に短尺の掴み金具１４が載置され、この掴み金具１４の左右両端の垂下部１４ａ，１４ａとキャップ１３の左右の凹曲部１３ａ，１３ａとの間に配置された板金１５，１５と、掴み金具１４の一段低い左右両側縁１４ｂ，１４ｂとが、ボルト１１ｂとナット１２ｂで緊締されて、掴み金具１４が取付けられている。
【００４１】
図３に示すように、機能シート入り折板屋根材Ｒの上側には金属製の吹上げ防止材１６が配置されており、図３，図４に示すように、この吹上げ防止材１６の両端の水平板部１６ｄが掴み金具１４に載置されて、ボルト１１ｃとナット１２ｃで固定されている。この吹上げ防止材１６は、図６に示すように、帯板金を曲げ加工したものであって、水平な底板部１６ａと、この底板部１６ａの両端から機能シート入り折板屋根材Ｒの上側折板１及び下側折板２の傾斜側板部１ｂ，２ｂと同じ傾斜角で外側斜め上方に傾斜する傾斜側板部１６ｂ，１６ｂと、これらの傾斜側板部１６ｂ，１６ｂの上端から更に急角度で傾斜する急傾斜側板部１６ｃ，１６ｃと、これらの急傾斜側板部１６ｃ，１６ｃの上端から外側へ水平に延びるボルト挿通孔付きの水平板部１６ｄ，１６ｄとからなり、機能シート入り折板屋根材Ｒが風圧で浮上しようとすると、傾斜側板部１６ｂ，１６ｂで該折板屋根材Ｒの上側折板１の傾斜側板部１ｂを押さえて浮上を防止できるようになっている。
【００４２】
尚、金属製の折板屋根材７の相互間に位置するタイトフレーム６の山部６ａには、前記の通し吊子８と吊子９に代えて、両側に係合縁９ａ，９ａを有する短尺の吊子を取付け、隣接する双方の折板屋根材７，７の耳部７ｃ，７ｃの折返し端縁７ｄ，７ｄと上記吊子の係合縁９ａ，９ａを係合させて、双方の折板屋根材７，７を吊持させればよい。
【００４３】
この実施形態の屋根構造では、採光すべき箇所に機能シート入り折板屋根材Ｒを一枚だけ取付けているが、複数枚並べて取付けて採光面積を拡大してもよいことは言うまでもない。その場合、機能シート入り折板屋根材Ｒの相互間に位置するタイトフレーム６の山部６ａには、前記の通し吊子８と吊子９に代えて、両側に係合縁８ａ，８ａを有する長尺の通し吊子を取付け、互いに隣接する機能シート入り折板屋根材Ｒ，Ｒの上側折板１，１の耳部１ｃ，１ｃの端縁１ｄ，１ｄと上記吊子の係合縁８ａ，８ａを係合させて、双方の折板屋根材Ｒ，Ｒを吊持させればよい。
【００４４】
以上のような屋根構造は、機能シート入り折板屋根材Ｒによって、採光機能と前述した機能シート３による太陽発電、調光、蓄光、発光などの種々の機能を長期間に亘って発揮することができる。そして、機能シート入り折板屋根材Ｒが金属製の折板屋根材７と同様に取扱いの容易なものであり、施工現場で機能シートを折板屋根材に後から取付ける面倒かつ危険な作業が不要なものであるから、この屋根構造は金属製の折板屋根材のみで葺いた屋根と同様に施工性が良好であって安全性にも優れている。また、機能シート入り折板屋根材Ｒの上側に吹上げ防止材１６が配置されて固定されているので、強風時に機能シート入り折板屋根材Ｒが吹上げられて浮上、剥離、飛散するのを防止することもできる。
【図面の簡単な説明】
【００４５】
【図１】本発明の一実施形態に係る屋根構造に用いられる機能シート入り折板屋根材の横断面図である。
【図２】同機能シート入り折板屋根材の分解部分斜視図である。
【図３】本発明の一実施形態に係る屋根構造の説明図である。
【図４】図３の円で囲んだ部分の拡大図である。
【図５】同屋根構造に用いる金属製の折板屋根材の部分斜視図である。
【図６】同屋根構造に用いる吹上げ防止材の斜視図である。
【符号の説明】
【００４６】
Ｒ    機能シート入り折板屋根材
１    上側折板
１ａ  底板部
１ｂ  傾斜側板部
１ｃ  耳部
２    下側折板
２ａ  底板部
２ｂ  傾斜側板部
２ｃ  耳受部
３    機能シート
４    シールテープ
５    母屋材
６    タイトフレーム
１６  吹上げ防止材。
【図１】
0005270200.tif 000002
【図２】
0005270200.tif 000003
【図３】
0005270200.tif 000004
【図４】
0005270200.tif 000005
【図５】
0005270200.tif 000006
【図６】
0005270200.tif 000007